(57)【要約】      （修正有）【課題】コップ等においても洗浄が容易で、また洗浄力が高い洗浄部材を提供する。【解決手段】洗浄部材を取り付けるための突起を外側面に設けた洗浄部材取付棒を有する駆動装置に洗浄部材を着脱可能に接続して食器を洗浄する洗浄装置における前記洗浄部材であって、円柱状で、その頭頂部から一部が切り取られた切込み部を有し、底部に前記洗浄部材取付棒と接続する結合芯を有する洗浄用スポンジであり、前記切り込み部が、前記頭頂部の中心に対し対称な位置に、軸線に対して斜めにかつ前記頭頂部の中心に向かってＶ字形にかつ底部方向を頂点とし頭頂部を底辺とする三角形に切り取られて形成されており、前記結合芯が、中空円筒状で、前記洗浄部材取付棒に接続するためのＴ字溝を両端に有し、前記突起棒に装着可能である構成とする。【選択図】図７
0003125234.tif 000002
【実用新案登録請求の範囲】
【請求項１】
洗浄部材を取り付けるための突起を外側面に設けた洗浄部材取付棒を有する駆動装置に洗浄部材を着脱可能に接続して食器を洗浄する洗浄装置における前記洗浄部材であって、
円柱状で、その頭頂部から一部が切り取られた切込み部を有し、底部に前記洗浄部材取付棒と接続する結合芯を有する洗浄用スポンジであり、
前記切り込み部が、前記頭頂部の中心に対し対称な位置に、軸線に対して斜めにかつ前記頭頂部の中心に向かってＶ字形にかつ底部方向を頂点とし頭頂部を底辺とする三角形に切り取られて形成されており、
前記結合芯が、中空円筒状で、前記洗浄部材取付棒に接続するためのＴ字溝を両端に有し、前記突起棒に装着可能であることを特徴とする洗浄部材。
【請求項２】
さらに、前記洗浄用スポンジが、外側周面に、軸線に平行な複数の縦溝及び／又は軸線に垂直な複数の横溝を有することを特徴とする請求項１記載の洗浄部材。
【考案の詳細な説明】
【技術分野】
【０００１】
本考案は、手洗いによる食器や調理器具等の洗浄作業を補助することを目的とする洗浄装置の洗浄部材に関する。特に、洗浄部材と駆動装置を有し、洗浄部材を取り付けるための突起を外側面に設けた洗浄部材取付棒を有する駆動装置に洗浄部材を着脱可能に接続して食器を洗浄する洗浄装置に用いる洗浄部材に関する。
【背景技術】
【０００２】
従来、手洗いによる食器や調理器具等の洗浄作業を補助することを目的とする洗浄装置として、本出願人が発明した組み合わせ型多機能回転スポンジ式食器洗い機等がある（例えば、特許文献１参照）。
【０００３】
【特許文献１】特許３７８５１８１号公報（図１）
【０００４】
上記文献に開示されている食器洗い機の洗浄部材は、円柱又は円錐で、駆動装置に取り付けて食器等の洗浄に用いることができる。
【考案の開示】
【考案が解決しようとする課題】
【０００５】
しかし、上記した従来の洗浄部材では、底部が狭いコップ等においては、内底奥まで洗浄部材が届きにくく、洗浄しにくいという問題があった。また、食器に接触する大部分が面で、洗浄力が比較的低いという問題があった。
【０００６】
したがって、本考案の目的は、コップ等においても洗浄が容易で、また洗浄力が高い洗浄部材を提供することにある。
【課題を解決するための手段】
【０００７】
上記目的を達成するため、本考案は、次のように構成したものである。
【０００８】
本考案の第１の態様は、上記目的を達成するため、洗浄部材を取り付けるための突起を外側面に設けた洗浄部材取付棒を有する駆動装置に洗浄部材を着脱可能に接続して食器を洗浄する洗浄装置における前記洗浄部材であって、
円柱状で、その頭頂部から一部が切り取られた切込み部を有し、底部に前記洗浄部材取付棒と接続する結合芯を有する洗浄用スポンジであり、
前記切り込み部が、前記頭頂部の中心に対し対称な位置に、軸線に対して斜めにかつ前記頭頂部の中心に向かってＶ字形にかつ底部方向を頂点とし頭頂部を底辺とする三角形に切り取られて形成されており、
前記結合芯が、中空円筒状で、前記洗浄部材取付棒に接続するためのＴ字溝を両端に有し、前記突起棒に装着可能であることを特徴とする洗浄部材を提供するものである。
【０００９】
上記第１の態様によれば、ワイングラス等、底部が狭いコップ類でも、コップの内底面側をスポンジの頭頂部に押し付けて回転させることにより、切り込み部の空間がひだを寄せたように縮まり、内底の奥までスポンジが当り、また、スポンジに角部分が多くなるので、コップ類を始めとする食器類の汚れをより効率的に洗浄することもできるようになり、洗浄能力が向上する。
【００１０】
また、さらに、前記洗浄用スポンジが、外側周面に、軸線に平行な複数の縦溝及び／又は軸線に垂直な複数の横溝を有する構成としてもよい。かかる構成によれば、スポンジに角部分がより多くなり、食器の汚れを物理的にこそげ落とす力が増加し、さらなる洗浄力の向上を実現することができる。また、かかる態様の洗浄部材を２つ隣り合わせて同時に利用する際、食器類の両面洗いをより効果的に実現できる。
【考案の効果】
【００１１】
本考案の洗浄部材は、上述したとおりであるので、コップ等においても洗浄が容易で、また洗浄力が高い。
【考案を実施するための最良の形態】
【００１２】
以下に、添付した図面を参照しながら、本考案の好適な実施例の構成及び作用を詳細に説明する。
【実施例１】
【００１３】
（構成）
図１は、本発明の実施例１に係る洗浄部材の正面図である。図２は、本発明の実施例１に係る洗浄部材の平面図である。図３は、本発明の実施例１に係る洗浄部材の底面図である。図４は、本発明の実施例１に係る洗浄部材の右側面図である。図５（ａ）（ｂ）、図６（ａ）（ｂ）（ｃ）はそれぞれ、Ａ−Ａ´線断面図、Ｂ−Ｂ´線断面図、Ｃ−Ｃ´線断面図、Ｄ−Ｄ´線断面図、Ｅ−Ｅ´線断面図である。左側面、背面は、それぞれ、右側面、正面と対称である。本実施例の洗浄部材（３）は、スポンジ部（１）及び芯部（２）からなる。スポンジ部（１）は、弾力性のある柔らかな表面に凹凸のある円柱状で、直径がおよそ６ｃｍ程度で、中心に、頭頂部から底部への貫通穴を有する。貫通穴の断面は円形である。芯部（２）は、中心に、頭頂部から底部へ貫通する回転軸貫通空洞（２１）を有するプラスチック製の中空円筒であり、Ｔ字型の回転軸ピン掛け溝（２２）を底部に２箇所設けてある。芯部（２）は、その上部を洗浄部材（３）の貫通穴に挿入して固着してある。洗浄部材の右側面は、正面と同一で、背面、左側面は、それぞれ、正面、右側面と対称である。本実施例では、正面視上方に平面視外円周上８箇所の対称な位置にＶ字形の溝が彫ってある。前記Ｖ字形の溝である切り込み部は、洗浄部材の頭頂部の中心に対し対称な位置に、軸線に対して斜めにかつ前記頭頂部の中心に向かってＶ字形にかつ底部方向を頂点とし頭頂部を底辺とする三角形に切り取られて形成されている。
【００１４】
図７は、本発明の実施例１に係る洗浄部材の使用説明図である。駆動装置（４）の洗浄部材取付棒（４１）に洗浄部材（３）を取り付けて洗浄装置（５）を構成する。駆動装置（４）は、洗浄部材取付棒（４１）１つに対し１基のモータを有する。図７において、駆動装置は２基のモータがセットになっているが、１基でもよい。洗浄装置（５）は、モータの回転により洗浄部材取付棒（４１）が回転し、洗浄部材取付棒（４１）に取り付けてある洗浄部材（３）が回転する。洗浄部材（３）の頭頂部に皿やなべ等の食器類を押し付けて洗浄することができる。また、２つの洗浄部材（３）の間に箸や皿等を挟みこんで、効果的に両面洗浄することができる。
【００１５】
（作用）
この実施例１の洗浄部材（３）によれば、ワイングラス等、底部が狭いコップ類でも、コップの内底面側をスポンジの頭頂部に押し付けて回転させることにより、Ｖ字溝分がひだを寄せたように縮まり、内底の奥までスポンジが当る。また、スポンジに角部分が多くなるので、コップ類を始めとする食器類の汚れをより効率的に洗浄することもできるようになり、洗浄能力が向上する。また、効率的に洗浄できるために、少しの使用時間で食器を洗うことができる。
【００１６】
芯部（２）のＴ字型の回転軸ピン掛け溝（２２）は、静止時における洗浄部材取付棒（４１）への取り付けを、芯部（２）を洗浄部材取付棒（４１）に被せて、突起（４１１）を、回転軸ピン掛け溝（２２）の脚部分となる下方の縦溝から嵌めこんで、左右どちらかに洗浄部材（３）を廻して回転軸ピン掛け溝（２２）のＴ字の袖部分となる横溝に引っ掛けて行う。使用時においては、回転方向は、該Ｔ字の袖方向に平行であるから、左右どちらに回転しても突起（４１１）は回転軸ピン掛け溝（２２）の袖部分となる横溝に引っかかっており、芯部（２）が洗浄部材取付棒（４１）から抜け落ちるのを防止できる。
【００１７】
（効果）
この実施例１の洗浄部材によれば、コップ等においても洗浄が容易で、また洗浄力が高いという効果を有する。また、洗浄部材が駆動装置から抜け落ちるのを防止できる。
【実施例２】
【００１８】
図８は、本発明の実施例２に係る洗浄部材の正面図である。図９は、本発明の実施例２に係る洗浄部材の平面図である。図１０は、本発明の実施例２に係る洗浄部材の底面図である。図１１は、本発明の実施例２に係る洗浄部材の右側面図である。図１２（ａ）（ｂ）、図１３（ａ）（ｂ）（ｃ）（ｄ）はそれぞれ、Ａ−Ａ´線断面図、Ｂ−Ｂ´線断面図、Ｃ−Ｃ´線断面図、Ｄ−Ｄ´線断面図、Ｅ−Ｅ´線断面図、Ｆ−Ｆ´線断面図である。左側面、背面は、それぞれ、右側面、正面と対称である。本実施例では、正面視上方に平面視外円周上８箇所の対称な位置にＶ字形の溝が彫ってあり、さらに正面視左右方向に平行に９箇所の切れ込み溝が彫ってある。かかる切れ込み溝は、スポンジ部の径方向に彫ってあり、横溝である。横溝はスポンジの軸線に垂直に形成されている。
【００１９】
駆動装置（４）の洗浄部材取付棒（４１）に洗浄部材（３）を取り付ける方法及びこれらにより構成される洗浄装置（５）の構成、作用については、上記図７と同様である。
【００２０】
この実施例２の洗浄部材によれば、箸やフォーク等の洗浄において、一度に左右面だけでなく上下面もスポンジで覆うことができるので、箸類を始めとする食器類の汚れをより効率的に洗浄することもできるようになり、洗浄能力が向上する。また、細長構造、湾曲構造あるいは金網構造を有したり、鋭利な部分や複雑な形状を有するために洗浄が面倒な各種調理器具類も簡単に洗浄できる。また、効率的に洗浄できるために、少しの使用時間で食器を洗うことができる。その他の構成及び作用、効果は上記実施例１の洗浄部材と同様である。
【実施例３】
【００２１】
図１４は、本発明の実施例３に係る洗浄部材の正面図である。図１５は、本発明の実施例３に係る洗浄部材の平面図である。図１６は、本発明の実施例３に係る洗浄部材の底面図である。図１７は、本発明の実施例３に係る洗浄部材の右側面図である。図１８（ａ）（ｂ）、図１９（ａ）（ｂ）（ｃ）はそれぞれ、本発明の実施例３に係る洗浄部材の正面図、Ａ−Ａ´線断面図、Ｂ−Ｂ´線断面図、Ａ−Ａ´線切断部端面図、Ｂ−Ｂ´線切断部端面図、Ｃ−Ｃ´線断面図、Ｄ−Ｄ´線断面図、Ｅ−Ｅ´線断面図である。左側面、背面は、それぞれ、右側面、正面と対称である。本実施例では、正面視上方に平面視外円周上８箇所の対称な位置にＶ字形の溝が彫ってあり、さらに平面視外円周上８箇所、対称な位置に、頂点が該円の中心に向かうような三角形の溝が彫ってある。かかる三角形の溝は、洗浄部材用スポンジの長手方向に縦全体に彫ってあり、頭頂部のＶ字溝と一体となって縦溝を形成する。
【００２２】
駆動装置（４）の洗浄部材取付棒（４１）に洗浄部材（３）を取り付ける方法及びこれらにより構成される洗浄装置（５）の構成、作用については、上記図７と同様である。
【００２３】
この実施例３の洗浄部材によれば、ワイングラス等、底部が狭いコップ類でも、コップの内底面側をスポンジの頭頂部に押し付けて回転させることにより、Ｖ字溝分がひだを寄せたように縮まり、内底の奥までスポンジが当り、また、スポンジに角部分がより多くなるので、コップ類を始めとする食器類の汚れをより効率的に洗浄することもできるようになり、洗浄能力が向上する。また、効率的に洗浄できるために、少しの使用時間で食器を洗うことができる。その他の構成及び作用、効果は上記実施例１の洗浄部材と同様である。
【実施例４】
【００２４】
図２０は、本発明の実施例４に係る洗浄部材の斜視図である。図２１は、本発明の実施例４に係る洗浄部材の正面図である。図２２は、本発明の実施例４に係る洗浄部材の平面図である。図２３は、本発明の実施例４に係る洗浄部材の底面図である。図２４（ａ）（ｂ）はそれぞれ、本発明の実施例４に係る洗浄部材のＡ−Ａ´線断面図、Ｂ−Ｂ´線断面図である。右側面は正面とほぼ同一であるが、芯部の下部に溝が見えない点が異なる。左側面、背面は、それぞれ、右側面、正面と対称である。本実施例では、正面視上方に平面視外円周上８箇所の対称な位置にＶ字形の溝が彫ってあり、さらに平面視外円周上８箇所、対称な位置に、頂点が該円の中心に向かうような三角形の溝が彫ってある。かかる三角形の溝は、洗浄部材用スポンジの長手方向に縦全体に彫ってあり、頭頂部のＶ字溝と一体となって縦溝を形成する。さらに洗浄部材の正面視左右方向に平行に９箇所の切れ込み溝が彫ってある。かかる切れ込み溝は、スポンジ部の径方向に彫ってあり、横溝である。横溝はスポンジの軸線に垂直に形成されている。
【００２５】
駆動装置（４）の洗浄部材取付棒（４１）に洗浄部材（３）を取り付ける方法及びこれらにより構成される洗浄装置（５）の構成、作用については、上記図７と同様である。
【００２６】
この実施例４の洗浄部材によれば、ワイングラス等、底部が狭いコップ類でも、コップの内底面側をスポンジの頭頂部に押し付けて回転させることにより、Ｖ字溝分がひだを寄せたように縮まり、内底の奥までスポンジが当り、また、スポンジにより角部分が多くなるので、コップ類でも箸やフォーク等でも形状を問わず食器類の汚れをより効率的に洗浄することもできるようになり、洗浄能力が向上する。その他の構成及び作用、効果は上記実施例２の洗浄部材と同様である。
【００２７】
以上、本発明の好適な実施例について説明したが、本発明は、かかる実施形態に限定されず、その発明の趣旨を逸脱しない範囲で種々と変形実施が可能である。当業者であれば、特許請求の範囲に記載された技術的思想の範囲内において、各種の変更例又は修正例に想到しうることは明らかであり、それらについても当然に本発明の技術的範囲に属するものと了解される。
【００２８】
例えば、上記実施例では、芯部の材質は、プラスチックであるものを挙げたが、これに限定されず、たとえば金属製又は木製であってもよい。
【００２９】
また、上記実施例では、一定数の溝を設けたものを挙げたが、数に限定はない。また、溝の大きさは大きくても小さくても良い。
【図面の簡単な説明】
【００３０】
【図１】本発明の実施例１に係る洗浄部材の正面図である。
【図２】本発明の実施例１に係る洗浄部材の平面図である。
【図３】本発明の実施例１に係る洗浄部材の底面図である。
【図４】本発明の実施例１に係る洗浄部材の右側面図である。
【図５】本発明の実施例１に係る洗浄部材の（ａ）Ａ−Ａ´線断面図及び（ｂ）Ｂ−Ｂ´線断面図である。
【図６】本発明の実施例１に係る洗浄部材のａ）Ｃ−Ｃ´線断面図及び（ｂ）Ｄ−Ｄ´線断面図、（ｃ）Ｅ−Ｅ´線断面図である。
【図７】本発明の実施例１に係る洗浄部材の使用説明図である。
【図８】本発明の実施例２に係る洗浄部材の正面図である。
【図９】発明の実施例２に係る洗浄部材の平面図である。
【図１０】本発明の実施例２に係る洗浄部材の底面図である。
【図１１】本発明の実施例２に係る洗浄部材の右側面図である。
【図１２】本発明の実施例２に係る洗浄部材の（ａ）Ａ−Ａ´線断面図及び（ｂ）Ｂ−Ｂ´線断面図である。
【図１３】本発明の実施例２に係る洗浄部材の（ａ）Ｃ−Ｃ´線断面図及び（ｂ）Ｄ−Ｄ´線断面図、（ｃ）Ｅ−Ｅ´線断面図、（ｄ）Ｆ−Ｆ´線断面図である。
【図１４】本発明の実施例３に係る洗浄部材の正面図である。
【図１５】本発明の実施例３に係る洗浄部材の平面図である。
【図１６】本発明の実施例３に係る洗浄部材の底面図である。
【図１７】本発明の実施例３に係る洗浄部材の右側面図である。
【図１８】本発明の実施例３に係る洗浄部材の（ａ）Ａ−Ａ´線断面図及び（ｂ）Ｂ−Ｂ´線断面図である。
【図１９】本発明の実施例３に係る洗浄部材の（ａ）Ｃ−Ｃ´線断面図及び（ｂ）Ｄ−Ｄ´線断面図、（ｃ）Ｅ−Ｅ´線断面図である。
【図２０】本発明の実施例４に係る洗浄部材の斜視図である。
【図２１】本発明の実施例４に係る洗浄部材の正面図である。
【図２２】本発明の実施例４に係る洗浄部材の平面図である。
【図２３】本発明の実施例４に係る洗浄部材の底面図である。
【図２４】本発明の実施例４に係る洗浄部材の（ａ）Ａ−Ａ´線断面図及び（ｂ）Ｂ−Ｂ´線断面図である。
【符号の説明】
【００３１】
１      スポンジ部
２      芯部
２１    回転軸貫通空洞
２２    回転軸ピン掛け溝
３      洗浄部材
４      駆動装置
４１    洗浄部材取付棒
４１１  突起
５      洗浄装置
【図１】
0003125234.tif 000003
【図２】
0003125234.tif 000004
【図３】
0003125234.tif 000005
【図４】
0003125234.tif 000006
【図５】
0003125234.tif 000007
【図６】
0003125234.tif 000008
【図７】
0003125234.tif 000009
【図８】
0003125234.tif 000010
【図９】
0003125234.tif 000011
【図１０】
0003125234.tif 000012
【図１１】
0003125234.tif 000013
【図１２】
0003125234.tif 000014
【図１３】
0003125234.tif 000015
【図１４】
0003125234.tif 000016
【図１５】
0003125234.tif 000017
【図１６】
0003125234.tif 000018
【図１７】
0003125234.tif 000019
【図１８】
0003125234.tif 000020
【図１９】
0003125234.tif 000021
【図２０】
0003125234.tif 000022
【図２１】
0003125234.tif 000023
【図２２】
0003125234.tif 000024
【図２３】
0003125234.tif 000025
【図２４】
0003125234.tif 000026